(57)【特許請求の範囲】
【請求項１】
相対向する長方形状の第１の及び第２の主面と、前記第１及び第２の主面間を連結するように前記第１及び第２の主面の短辺方向に伸びている第１及び第２の端面と、前記第１及び第２の主面間を連結するように前記第１及び第２の主面の長辺方向に伸びている第１及び第２の側面とを有し、且つ誘電特性を有するコンデンサ素体と、
前記コンデンサ素体の前記第１の側面に配置される第１の端子電極と、
前記コンデンサ素体の前記第２の側面に配置される第２の端子電極と、
前記第１の端子電極に接続され、且つ前記コンデンサ素体内に配置される第１の内部電極と、
前記第２の端子電極に接続され、且つ前記コンデンサ素体内に配置される第２の内部電極と、を備え、
前記第１の内部電極は、前記第１及び第２の端面の対向方向に沿って併置された第１の主電極部及び第２の主電極部と、当該第１及び第２の主電極部から前記第１の側面に伸び且つ端部が前記第１の側面に露出して前記第１の端子電極に接続される第１の引き出し電極部とを含み、
前記第２の内部電極は、前記第１及び第２の端面の対向方向に沿って併置された第３の主電極部及び第４の主電極部と、当該第３及び第４の主電極部から前記第２の側面に伸び且つ端部が前記第２の側面に露出して前記第２の端子電極に接続される第２の引き出し電極部とを含み、
前記コンデンサ素体内には、前記第１及び第２の端子電極の何れとも接続されない、それぞれ少なくとも１つの第１の中間電極及び第２の中間電極が配置され、
前記少なくとも１つの第１の中間電極は、前記第１及び第３の主電極部とともに直列接続される複数の静電容量成分を形成するように配置され、
前記少なくとも１つの第２の中間電極は、前記第２及び第４の主電極部とともに直列接続される複数の静電容量成分を形成するように配置され、
前記少なくとも１つの第１の中間電極と前記第１及び第３の主電極部とによって形成される複数の静電容量成分の合成静電容量と、前記少なくとも１つの第２の中間電極と前記第２及び第４の主電極部とによって形成される複数の静電容量成分の合成静電容量とが異なり、
前記第１の主電極部の前記第１の端面側の端部と前記第１の引き出し電極部の前記第１の端面側の端部とは、前記第１の主電極部及び前記第１の引き出し電極部の境界において一致し、前記第２の主電極部の前記第２の端面側の端部と前記第１の引き出し電極部の前記第２の端面側の端部とは、前記第２の主電極部及び前記第１の引き出し電極部の境界において一致し、
前記第３の主電極部の前記第１の端面側の端部と前記第２の引き出し電極部の前記第１の端面側の端部とは、前記第３の主電極部及び前記第２の引き出し電極部の境界において一致し、前記第４の主電極部の前記第２の端面側の端部と前記第２の引き出し電極部の前記第２の端面側の端部とは、前記第４の主電極部及び前記第２の引き出し電極部の境界において一致することを特徴とする積層コンデンサ。
【請求項２】
前記第１及び第２の中間電極はそれぞれ１つずつであり、
前記第１の中間電極は、前記第１及び第２の主面の対向方向に沿って前記第１の主電極部と対向する第１の領域を前記第１の側面側に、前記第１及び第２の主面の対向方向に沿って前記第３の主電極部と対向する第２の領域を前記第２の側面側にそれぞれ含み、
前記第２の中間電極は、前記第１及び第２の主面の対向方向に沿って前記第２の主電極部と対向する第３の領域を前記第１の側面側に、前記第１及び第２の主面の対向方向に沿って前記第４の主電極部と対向する第４の領域を前記第２の側面側にそれぞれ含み、
前記第１及び第２の領域の面積の和と前記第３及び第４の領域の面積の和とが異なることを特徴とする請求項１記載の積層コンデンサ。
【請求項３】
前記第２の中間電極の数は、前記第１の中間電極とは異なる複数であって、
前記複数の第２の中間電極のうち最も第１の側面側に位置する第２の中間電極は、前記第２の主電極部と対向する領域を有し、前記複数の第２の中間電極のうち最も第２の側面側に位置する第２の中間電極は、前記第４の主電極部と対向する領域を有し、且つ、前記各第２の中間電極は、当該第２の中間電極以外の他の第２の中間電極と対向する領域を有することを特徴とする請求項１記載の積層コンデンサ。
【請求項４】
相対向する長方形状の第１の及び第２の主面と、前記第１及び第２の主面間を連結するように前記第１及び第２の主面の短辺方向に伸びている第１及び第２の端面と、前記第１及び第２の主面間を連結するように前記第１及び第２の主面の長辺方向に伸びている第１及び第２の側面とを有し、且つ誘電特性を有するコンデンサ素体と、
前記コンデンサ素体の前記第１の側面に配置される第１の端子電極と、
前記コンデンサ素体の前記第２の側面に配置される第２の端子電極と、
前記第１の端子電極に接続され、且つ前記コンデンサ素体内に配置される第１の内部電極と、
前記第２の端子電極に接続され、且つ前記コンデンサ素体内に配置される第２の内部電極及び第３の内部電極と、を備え、
前記第１の内部電極は、前記第１及び第２の端面の対向方向に沿って併置された第１の主電極部及び第２の主電極部と、当該第１及び第２の主電極部から前記第１の側面に伸び且つ端部が前記第１の側面に露出して前記第１の端子電極に接続される第１の引き出し電極部とを含み、
前記第２の内部電極は、第３の主電極部と、当該第３の主電極部から前記第２の側面に伸び且つ端部が前記第２の側面に露出して前記第２の端子電極に接続される第２の引き出し電極部とを含み、
前記第３の内部電極は、前記第１の主電極部と前記第１及び第２の主面の対向方向に沿って対向して１つの静電容量成分を形成する第４の主電極部と、当該第４の主電極部から前記第２の側面に伸び且つ端部が前記第２の側面に露出して前記第２の端子電極に接続される第３の引き出し電極部とを含み、
前記コンデンサ素体内には、前記第１及び第２の端子電極の何れにも接続されない少なくとも１つの中間電極が配置され、
前記少なくとも１つの中間電極は、前記第２及び第３の主電極部とともに直列接続される複数の静電容量成分を形成するように配置され、
前記第１の主電極部と前記第４の主電極部とによって形成される１つの静電容量と、前記少なくとも１つの中間電極と前記第２及び第３の主電極部とによって形成される複数の静電容量成分の合成静電容量とが異なり、
前記第１の主電極部の前記第１の端面側の端部と前記第１の引き出し電極部の前記第１の端面側の端部とは、前記第１の主電極部及び前記第１の引き出し電極部の境界において一致し、前記第２の主電極部の前記第２の端面側の端部と前記第１の引き出し電極部の前記第２の端面側の端部とは、前記第２の主電極部及び前記第１の引き出し電極部の境界において一致することを特徴とする積層コンデンサ。
【請求項５】
前記第２の引き出し電極部の前記第１及び第２の端面の対向方向での長さ及び前記第３の引き出し電極部の前記第１及び第２の端面の対向方向での長さは何れも、前記第１の引き出し電極部の前記第１及び第２の端面の対向方向での長さと同じであることを特徴とする請求項４記載の積層コンデンサ。
【請求項６】
前記中間電極は複数であり、
前記複数の中間電極のうち最も第１の側面側に位置する中間電極は、前記第２の主電極部と対向する領域を有し、前記複数の中間電極のうち最も第２の側面側に位置する中間電極は、前記第４の主電極部と対向する領域を有し、且つ、前記各中間電極は、当該中間電極以外の他の中間電極と対向する領域を有することを特徴とする請求項４又は５記載の積層コンデンサ。
【発明の詳細な説明】
【技術分野】
【０００１】
本発明は、積層コンデンサに関する。
【背景技術】
【０００２】
この種の積層コンデンサとして、互いに対向する長方形状の一対の主面と、一対の主面間を連結するように一対の主面の長辺方向に伸び且つ互いに対向する一対の側面と、一対の主面間を連結するように一対の主面の短辺方向に伸び且つ互いに対向する一対の端面とを有する直方体状のコンデンサ素体と、一対の側面にそれぞれ配置される複数の端子電極と、を備え、コンデンサ素体が、一対の主面の対向方向に積層された複数の絶縁体層と、複数の絶縁体層のうち少なくとも一つの絶縁体層を挟んで対向するように交互に配置されると共に対応する端子電極に接続される複数の内部電極と、を有するものが知られている（例えば、特許文献１参照）。特許文献１に記載された積層コンデンサでは、一対の側面にそれぞれ配置される端子電極の間隔が短いことから、該積層コンデンサにおける電流経路が比較的短くなり、等価直列インダクタンス（ＥＳＬ）を小さくすることが可能となる。
【特許文献１】特開平９−１４８１７４号公報
【発明の開示】
【発明が解決しようとする課題】
【０００３】
しかしながら、特許文献１に記載の積層コンデンサでは、１つのコンデンサ成分しか有さないため、広い周波数帯域で低インピーダンスにすることが困難である。
【０００４】
本発明は、広い周波数帯域で低インピーダンスにすることが可能な積層コンデンサを提供することを課題とする。
【課題を解決するための手段】
【０００５】
本発明に係る積層コンデンサは、相対向する長方形状の第１の及び第２の主面と、第１及び第２の主面間を連結するように第１及び第２の主面の短辺方向に伸びている第１及び第２の端面と、第１及び第２の主面間を連結するように第１及び第２の主面の長辺方向に伸びている第１及び第２の側面とを有し、且つ誘電特性を有するコンデンサ素体と、コンデンサ素体の第１の側面に配置される第１の端子電極と、コンデンサ素体の第２の側面に配置される第２の端子電極と、第１の端子電極に接続され、且つコンデンサ素体内に配置される第１の内部電極と、第２の端子電極に接続され、且つコンデンサ素体内に配置される第２の内部電極と、を備え、第１の内部電極は、第１及び第２の端面の対向方向に沿って併置された第１の主電極部及び第２の主電極部と、当該第１及び第２の主電極部から第１の側面に伸び且つ端部が第１の側面に露出して第１の端子電極に接続される第１の引き出し電極部とを含み、第２の内部電極は、第１及び第２の端面の対向方向に沿って併置された第３の主電極部及び第４の主電極部と、当該第３及び第４の主電極部から第２の側面に伸び且つ端部が第２の側面に露出して第２の端子電極に接続される第２の引き出し電極部とを含み、コンデンサ素体内には、第１及び第２の端子電極の何れとも接続されない、それぞれ少なくとも１つの第１の中間電極及び第２の中間電極が配置され、少なくとも１つの第１の中間電極は、第１及び第３の主電極部とともに直列接続される複数の静電容量成分を形成するように配置され、少なくとも１つの第２の中間電極は、第２及び第４の主電極部とともに直列接続される複数の静電容量成分を形成するように配置され、少なくとも１つの第１の中間電極と第１及び第３の主電極部とによって形成される複数の静電容量成分の合成静電容量と、少なくとも１つの第２の中間電極と第２及び第４の主電極部とによって形成される複数の静電容量成分の合成静電容量とが異なり、第１の主電極部の第１の端面側の端部と第１の引き出し電極部の第１の端面側の端部とは、第１の主電極部及び第１の引き出し電極部の境界において一致し、第２の主電極部の第２の端面側の端部と第１の引き出し電極部の第２の端面側の端部とは、第２の主電極部及び第１の引き出し電極部の境界において一致し、第３の主電極部の第１の端面側の端部と第２の引き出し電極部の第１の端面側の端部とは、第３の主電極部及び第２の引き出し電極部の境界において一致し、第４の主電極部の第２の端面側の端部と第２の引き出し電極部の第２の端面側の端部とは、第４の主電極部及び第２の引き出し電極部の境界において一致することを特徴とする。
【０００６】
上述の積層コンデンサでは、第１及び第２の端子電極が、直方体形状のコンデンサ素体の長手方向に伸びる側面上に形成されている。したがって、第１及び第２の内部電極を流れる電流経路を短くすることができ、この積層コンデンサの等価直列インダクタンスを低くすることができる。また、第１の内部電極では、第１及び第２の端面の対向方向における第１の引き出し電極部の幅いっぱいに、静電容量の形成に寄与する第１及び第２の主電極部が配置されている。そのため、第１の内部電極を流れる電流経路をさらに短くすることができる。また、第２の内部電極では、第１及び第２の端面の対向方向における第２の引き出し電極部の幅いっぱいに、静電容量の形成に寄与する第３及び第４の主電極部が配置されている。そのため、第２の内部電極を流れる電流経路をさらに短くすることができる。これらによっても、この積層コンデンサの等価直列インダクタンスを低くすることができる。また、上述の積層コンデンサでは、第１及び第２の内部電極と第１の中間電極とで形成される複数の直列接続される静電容量成分と、第１及び第２の内部電極と第２の中間電極とで形成される複数の直列接続される静電容量成分とで、その合成静電容量が異なる。これらの異なる合成静電容量同士は並列接続の関係にあるため、上述の積層コンデンサによれば、広い周波数帯域でインピーダンスを低くすることが可能となる。
【０００７】
この場合、第１及び第２の中間電極はそれぞれ１つずつであり、第１の中間電極は、第１及び第２の主面の対向方向に沿って第１の主電極部と対向する第１の領域を第１の側面側に、第１及び第２の主面の対向方向に沿って第３の主電極部と対向する第２の領域を第２の側面側にそれぞれ含み、第２の中間電極は、第１及び第２の主面の対向方向に沿って第２の主電極部と対向する第３の領域を第１の側面側に、第１及び第２の主面の対向方向に沿って第４の主電極部と対向する第４の領域を第２の側面側にそれぞれ含み、第１及び第２の領域の面積の和と第３及び第４の領域の面積の和とが異なっていてもよい。これにより、第１及び第２の内部電極と第１の中間電極とで形成される複数の静電容量成分の合成静電容量と、第１及び第２の内部電極と第２の中間電極とで形成される複数の静電容量成分の合成静電容量とを異ならせることができる。
【０００８】
あるいは、第２の中間電極の数は、第１の中間電極とは異なる複数であって、複数の第２の中間電極のうち最も第１の側面側に位置する第２の中間電極は、第２の主電極部と対向する領域を有し、複数の第２の中間電極のうち最も第２の側面側に位置する第２の中間電極は、第４の主電極部と対向する領域を有し、且つ、各第２の中間電極は、当該第２の中間電極以外の他の第２の中間電極と対向する領域を有していてもよい。第１の中間電極の数と第２の中間電極の数とが異なるため、第１及び第２の内部電極と第１の中間電極とで形成される複数の静電容量成分の合成静電容量と、第１及び第２の内部電極と第２の中間電極とで形成される複数の静電容量成分の合成静電容量とを異ならせることができる。
【０００９】
本発明に係る積層コンデンサは、相対向する長方形状の第１の及び第２の主面と、第１及び第２の主面間を連結するように第１及び第２の主面の短辺方向に伸びている第１及び第２の端面と、第１及び第２の主面間を連結するように第１及び第２の主面の長辺方向に伸びている第１及び第２の側面とを有し、且つ誘電特性を有するコンデンサ素体と、コンデンサ素体の第１の側面に配置される第１の端子電極と、コンデンサ素体の第２の側面に配置される第２の端子電極と、第１の端子電極に接続され、且つコンデンサ素体内に配置される第１の内部電極と、第２の端子電極に接続され、且つコンデンサ素体内に配置される第２の内部電極及び第３の内部電極と、を備え、第１の内部電極は、第１及び第２の端面の対向方向に沿って併置された第１の主電極部及び第２の主電極部と、当該第１及び第２の主電極部から第１の側面に伸び且つ端部が第１の側面に露出して第１の端子電極に接続される第１の引き出し電極部とを含み、第２の内部電極は、第３の主電極部と、当該第３の主電極部から第２の側面に伸び且つ端部が第２の側面に露出して第２の端子電極に接続される第２の引き出し電極部とを含み、第３の内部電極は、第１の主電極部と第１及び第２の主面の対向方向に沿って対向して１つの静電容量成分を形成する第４の主電極部と、当該第４の主電極部から第２の側面に伸び且つ端部が第２の側面に露出して第２の端子電極に接続される第３の引き出し電極部とを含み、コンデンサ素体内には、第１及び第２の端子電極の何れにも接続されない少なくとも１つの中間電極が配置され、少なくとも１つの中間電極は、第２及び第３の主電極部とともに直列接続される複数の静電容量成分を形成するように配置され、第１の主電極部と第４の主電極部とによって形成される１つの静電容量と、少なくとも１つの中間電極と第２及び第３の主電極部とによって形成される複数の静電容量成分の合成静電容量とが異なり、第１の主電極部の第１の端面側の端部と第１の引き出し電極部の第１の端面側の端部とは、第１の主電極部及び第１の引き出し電極部の境界において一致し、第２の主電極部の第２の端面側の端部と第１の引き出し電極部の第２の端面側の端部とは、第２の主電極部及び第１の引き出し電極部の境界において一致することを特徴とする。
【００１０】
上述の積層コンデンサでは、第１及び第２の端子電極が、直方体形状のコンデンサ素体の長手方向に伸びる側面上に形成されている。したがって、第１及び第２の内部電極を流れる電流経路を短くすることができ、この積層コンデンサの等価直列インダクタンスを低くすることができる。また、第１の内部電極では、第１の端子電極に接続される第１の引き出し電極部の第１及び第２の端面の対向方向における幅いっぱいに、静電容量の形成に寄与する第１及び第２の主電極部が配置されている。そのため、第１の内部電極を流れる電流経路をさらに短くすることができる。これによっても、この積層コンデンサの等価直列インダクタンスを低くすることができる。また、上述の積層コンデンサでは、第１及び第３の内部電極で形成される静電容量と、第１及び第２の内部電極と中間電極とで形成される複数の直列接続される静電容量成分の合成静電容量とが異なる。これらの異なる静電容量同士は並列接続の関係にあるため、上述の積層コンデンサによれば、広い周波数帯域でインピーダンスを低くすることが可能となる。
【００１１】
第２の引き出し電極部の第１及び第２の端面の対向方向での長さ及び第３の引き出し電極部の第１及び第２の端面の対向方向での長さは何れも、第１の引き出し電極部の第１及び第２の端面の対向方向での長さと同じであることが好ましい。この場合、さらに等価直列インダクタンスを低くすることが可能である。
【００１２】
中間電極は複数であり、複数の中間電極のうち最も第１の側面側に位置する中間電極は、第２の主電極部と対向する領域を有し、複数の中間電極のうち最も第２の側面側に位置する中間電極は、第４の主電極部と対向する領域を有し、且つ、各中間電極は、当該中間電極以外の他の中間電極と対向する領域を有していてもよい。これにより、中間電極と第２及び第４の主電極部とによって、直列接続され複数の静電容量成分を形成することができる。
【発明の効果】
【００１３】
本発明によれば、広い周波数帯域で低インピーダンスにすることが可能な積層コンデンサを提供することができる。
【発明を実施するための最良の形態】
【００１４】
以下、添付図面を参照して、好適な実施形態について詳細に説明する。なお、説明において、同一要素又は同一機能を有する要素には、同一符号を用いることとし、重複する説明は省略する。
【００１５】
（第１実施形態）
図１〜図４に基づいて、第１実施形態に係る積層コンデンサ１の構成について説明する。図１は、本実施形態に係る積層コンデンサの斜視図である。図２は、本実施形態に係る積層コンデンサに含まれるコンデンサ素体の分解斜視図である。図３は、本実施形態に係る積層コンデンサのコンデンサ素体に含まれる内部電極及び中間電極の対向関係を説明するための図である。図４は、本実施形態に係る積層コンデンサの等価回路図である。
【００１６】
積層コンデンサ１は、図１に示すように、直方体状をしたコンデンサ素体４と、コンデンサ素体４の外表面に配置された第１の端子電極２及び第２の端子電極３とを備える。コンデンサ素体４は、図１に示されるように、相対向する長方形状の第１の及び第２の主面４ａ、４ｂと、第１及び第２の主面４ａ、４ｂ間を連結するように第１及び第２の主面４ａ、４ｂの長辺方向に伸びている第１及び第２の側面４ｃ、４ｄと、第１及び第２の主面４ａ、４ｂ間を連結するように第１及び第２の主面４ａ、４ｂの短辺方向に伸びている第１及び第２の端面４ｅ、４ｆとを有する。
【００１７】
コンデンサ素体４の第１の側面４ｃには、第１の端子電極２が配置されている。コンデンサ素体４の第２の側面４ｄには、第２の端子電極３が配置されている。第１及び第２の端子電極２、３は、例えば、導電性金属粉末及びガラスフリットを含む導電性ペーストをコンデンサ素体４の対応する外表面の付与し、焼き付けることによって形成される。必要に応じて、焼き付けられた電極の上にめっき層が形成されることもある。
【００１８】
コンデンサ素体４は、図２に示されるように、積層された複数（本実施形態では、５層）の誘電体層５を有する。各誘電体層５は、例えば誘電体セラミックを含むセラミックグリーンシートの焼結体から構成される。したがって、コンデンサ素体４は、誘電特性を有する。なお、実際の積層コンデンサ１では、誘電体層５の間の境界が視認できない程度に一体化されている。
【００１９】
図２に示されているように、コンデンサ素体４には、複数（本実施形態では２層）の第１の内部電極１０と、複数（本実施形態では２層）の第２の内部電極２０と、複数（本実施形態では２層）の第１の中間電極３１と、複数（本実施形態では２層）の第２の中間電極３２と、複数（本実施形態では２層）の第３の中間電極３３とが配置されている。各内部電極１０、２０、及び各中間電極３１〜３３は、例えば、導電性ペーストの焼結体から構成される。
【００２０】
コンデンサ素体４では、一対の第１及び第２の内部電極１０、２０は、コンデンサ素体４の第１及び第２の主面４ａ、４ｂの対向方向で同層に配置されている。コンデンサ素体４では、一組の第１〜第３の中間電極３１〜３３は、コンデンサ素体４の第１及び第２の主面４ａ、４ｂの対向方向で同層に配置されている。同層に配置された一対の第１及び第２の内部電極１０、２０と、同層に配置された第１〜第３の中間電極３１〜３３とは、第１及び第２の主面４ａ、４ｂの対向方向に沿って交互に配置されている。すなわち、一対の第１及び第２の内部電極１０、２０に対してそれぞれ１つの第１〜第３の中間電極３１〜３３が配置されている。
【００２１】
各第１の内部電極１０は、第１及び第２の端面４ｅ、４ｆの対向方向に沿って連続して併置された第１の主電極部１１、第５の主電極部１３、及び第２の主電極部１２と、当該第１、第２、及び第５の主電極部１１、１２、１３から第１の側面４ｃに伸びる第１の引き出し電極部１４とを含む。第１の主電極部１１、第５の主電極部１３、及び第２の主電極部１２は、第１の端面４ｅ側から第２の端面４ｆ側に向かってこの順で位置している。第１の主電極部１１は、第２及び第５の主電極部１２、１３の何れよりも面積が大きく、第２及び第５の主電極部１２、１３よりも第２の側面に向かって突出するように形成されている。
【００２２】
第２及び第５の主電極部１２、１３の第１及び第２の側面４ｃ、４ｄの対向方向での長さは同じである。第２の主電極部１２の第２の側面４ｄ側の端部と第５の主電極部１３の第２の側面４ｄ側の端部とは同一直線上に位置する。一方、第２の主電極部１２の第１及び第２の端面４ｅ、４ｆの対向方向の長さは、第５の主電極部１３の第１及び第２の端面４ｅ、４ｆの対向方向の長さに比べて短い。
【００２３】
第１の引き出し電極部１４は、その端部が第１の側面４ｃに露出して、第１の端子電極２に接続されている。第１の主電極部１１の第１の端面４ｅ側の端部１１ａと第１の引き出し電極部１４の第１の端面４ｅ側の端部１４ａとは、同一直線を形成する。すなわち、第１の主電極部１１の第１の端面４ｅ側の端部１１ａと第１の引き出し電極部１４の第１の端面４ｅ側の端部１４ａとは、第１の主電極部１１及び第１の引き出し電極部１４の境界において一致する。
【００２４】
第２の主電極部１２の第２の端面４ｆ側の端部１２ａと第１の引き出し電極部１４の第２の端面４ｆ側の端部１４ｂとは、同一直線を形成する。すなわち、第２の主電極部１２の第２の端面４ｆ側の端部１２ａと第１の引き出し電極部１４の第２の端面４ｆ側の端部１４ｂとは、第２の主電極部１２及び第１の引き出し電極部１４の境界において一致する。
【００２５】
各第２の内部電極２０は、第１及び第２の端面４ｅ、４ｆの対向方向に沿って連続して併置された第３の主電極部２１、第６の主電極部２３、及び第４の主電極部２２と、当該第３、第４、及び第６の主電極部２１、２２、２３から第２の側面４ｄに伸びる第２の引き出し電極部２４とを含む。第３の主電極部２１、第６の主電極部２３、及び第４の主電極部２２は、第１の端面４ｅ側から第２の端面４ｆ側に向かってこの順で位置している。第３の主電極部２１は、第４及び第６の主電極部２２、２３の何れよりも面積が大きく、第４及び第６の主電極部２２、２３よりも第１の側面４ｃに向かって突出するように形成されている。
【００２６】
第４及び第６の主電極部２２、２３の第１及び第２の側面４ｃ、４ｄの対向方向での長さは同じである。第４の主電極部２２の第１の側面４ｃ側の端部と第６の主電極部２３の第１の側面４ｃ側の端部とは同一直線上に位置する。一方、第４の主電極部２２の第１及び第２の端面４ｅ、４ｆの対向方向の長さは、第６の主電極部２３の第１及び第２の端面４ｅ、４ｆの対向方向の長さに比べて短い。
【００２７】
第２の引き出し電極部２４は、その端部が第２の側面４ｄに露出して、第２の端子電極３に接続されている。第３の主電極部２１の第１の端面４ｅ側の端部２１ａと第２の引き出し電極部２４の第１の端面４ｅ側の端部２４ａとは、同一直線を形成する。すなわち、第３の主電極部２１の第１の端面４ｅ側の端部２１ａと第２の引き出し電極部２４の第１の端面４ｅ側の端部２４ａとは、第３の主電極部２１及び第２の引き出し電極部２４の境界において一致する。
【００２８】
第４の主電極部２２の第２の端面４ｆ側の端部２２ａと第２の引き出し電極部２４の第２の端面４ｆ側の端部２４ｂとは、同一直線を形成する。すなわち、第４の主電極部２２の第２の端面４ｆ側の端部２２ａと第２の引き出し電極部２４の第２の端面４ｆ側の端部２４ｂとは、第４の主電極部２２及び第２の引き出し電極部２４の境界において一致する。
【００２９】
１組の第１〜第３の中間電極３１〜３３は、同一の誘電体層５上に、第１の端面４ｅ側から第２の端面４ｆ側に向かって、第１の中間電極３１、第３の中間電極３３、第２の中間電極３２の順で併置されている。第１〜第３の中間電極３１〜３３は矩形状を呈している。第１〜第３の中間電極３１〜３３の面積は互いに異なり、本実施形態では第１、第３、第２の中間電極３１、３３、３２の順で面積が大きい。
【００３０】
第１の中間電極３１は、第１及び第２の主面４ａ、４ｂの対向方向で見て、第１の内部電極１０の第１の主電極部１１及び第２の内部電極２０の第３の主電極部２１の双方を跨ぐように配置されている。第２の中間電極３２は、第１及び第２の主面４ａ、４ｂの対向方向で見て、第１の内部電極１０の第２の主電極部１２及び第２の内部電極２０の第４の主電極部２２の双方を跨ぐように配置されている。第３の中間電極３３は、第１及び第２の主面４ａ、４ｂの対向方向で見て、第１の内部電極１０の第５の主電極部１３及び第２の内部電極２０の第６の主電極部２３の双方を跨ぐように配置されている。
【００３１】
図３は、第１及び第２の内部電極１０、２０と第１〜第３の中間電極３１〜３３との、第１及び第２の主面４ａ、４ｂの対向方向での対向関係を説明した図である。図３では、見易さのため、内部電極と中間電極とが対向する箇所に斜線を付している。さらに、図３では、見易さのため、第１〜第３の中間電極３１〜３３を点線で表している。
【００３２】
図３に示されるように、第１の中間電極３１は、第１及び第２の主面４ａ、４ｂの対向方向に沿って第１の内部電極１０の第１の主電極部１１と対向する第１の領域３１ａを第１の側面４ｃ側に有する。第１の中間電極３１は、第１及び第２の主面４ａ、４ｂの対向方向に沿って第２の内部電極２０の第３の主電極部２１と対向する第２の領域３１ｂを第２の側面４ｄ側に有する。
【００３３】
図３に示されるように、第２の中間電極３２は、第１及び第２の主面４ａ、４ｂの対向方向に沿って第１の内部電極１０の第２の主電極部１２と対向する第３の領域３２ａを第１の側面４ｃ側に有する。第２の中間電極３２は、第１及び第２の主面４ａ、４ｂの対向方向に沿って第２の内部電極２０の第４の主電極部２２と対向する第４の領域３２ｂを第２の側面４ｄ側に有する。
【００３４】
図３に示されるように、第３の中間電極３３は、第１及び第２の主面４ａ、４ｂの対向方向に沿って第１の内部電極１０の第５の主電極部１３と対向する第５の領域３３ａを第１の側面４ｃ側に有する。第３の中間電極３３は、第１及び第２の主面４ａ、４ｂの対向方向に沿って第２の内部電極２０の第６の主電極部２３と対向する第６の領域３３ｂを第２の側面４ｄ側に有する。
【００３５】
ここで、第１の領域３１ａの面積と第２の領域３１ｂの面積の和をＳ１とし、第３の領域３２ａの面積と第４の領域３２ｂの面積の和をＳ２とし、第５の領域３３ａの面積と第６の領域３３ｂの面積の和をＳ３とすると、以下の不等式（１）が成立する。
Ｓ１＞Ｓ３＞Ｓ２  …（１）
【００３６】
すなわち、第１及び第２の領域３１ａ、３１ｂの面積の和Ｓ１と、第３及び第４の領域３２ａ、３２ｂの面積の和Ｓ２と、第５及び第６の領域３３ａ、３３ｂの面積の和Ｓ３とが互いに異なる。
【００３７】
図４に積層コンデンサ１の等価回路図を示す。図４に示されるように、第１の内部電極１０の第１の主電極部１１と第１の中間電極３１の第１の領域３１ａとは静電容量成分Ｃ１１を形成する。第１の中間電極３１の第２の領域３１ｂと第２の内部電極２０の第３の主電極部２１とは静電容量成分Ｃ１２を形成する。このように、第１の中間電極３１は、第１の内部電極１０の第１の主電極部１１及び第２の内部電極２０の第３の主電極部２１とともに直列接続される複数の静電容量成分Ｃ１１、Ｃ１２を形成する。
【００３８】
図４に示されるように、第１の内部電極１０の第２の主電極部１２と第２の中間電極３２の第３の領域３２ａとは静電容量成分Ｃ２１を形成する。第２の中間電極３２の第４の領域３２ｂと第２の内部電極２０の第４の主電極部２２とは静電容量成分Ｃ２２を形成する。このように、第２の中間電極３２は、第１の内部電極１０の第２の主電極部１２及び第２の内部電極２０の第４の主電極部２２とともに直列接続される複数の静電容量成分Ｃ２１、Ｃ２２を形成する。
【００３９】
図４に示されるように、第１の内部電極１０の第５の主電極部１３と第３の中間電極３３の第５の領域３３ａとは静電容量成分Ｃ３１を形成する。第３の中間電極３３の第６の領域３３ｂと第２の内部電極２０の第６の主電極部２３とは静電容量成分Ｃ３２を形成する。このように、第３の中間電極３３は、第１の内部電極１０の第５の主電極部１３及び第２の内部電極２０の第６の主電極部２３とともに直列接続される複数の静電容量成分Ｃ３１、Ｃ３２を形成する。
【００４０】
図４から理解されるように、第１及び第２の内部電極１０、２０並びに第１の中間電極３１によって形成される静電容量成分Ｃ１１、Ｃ１２と、第１及び第２の内部電極１０、２０並びに第２の中間電極３２によって形成される静電容量成分Ｃ２１、Ｃ２２と、第１及び第２の内部電極１０、２０並びに第３の中間電極３３によって形成される静電容量成分Ｃ３１、Ｃ３２とは、並列に接続される。
【００４１】
不等式（１）から、第１の中間電極３１と第１及び第３の主電極部１１、２１とによって形成される２つの静電容量成分Ｃ１１、Ｃ１２の合成静電容量は、第２の中間電極３２と第２及び第４の主電極部１２、２２とによって形成される２つの静電容量成分Ｃ２１、Ｃ２２の合成静電容量に比べて大きい。また、不等式（１）から、第２の中間電極３２と第２及び第４の主電極部１２、２２とによって形成される２つの静電容量成分Ｃ２１、Ｃ２２の合成静電容量は、第３の中間電極３３と第５及び第６の主電極部１３、２３とによって形成される２つの静電容量成分Ｃ３１、Ｃ３２の合成静電容量に比べて小さい。
【００４２】
すなわち、第１の中間電極３１と第１及び第３の主電極部１１、２１とによって形成される２つの静電容量成分Ｃ１１、Ｃ１２の合成静電容量と、第２の中間電極３２と第２及び第４の主電極部１２、２２とによって形成される２つの静電容量成分Ｃ２１、Ｃ２２の合成静電容量と、第３の中間電極３３と第５及び第６の主電極部１３、２３とによって形成される２つの静電容量成分Ｃ３１、Ｃ３２の合成静電容量とは異なる値を有して、並列に接続されている。
【００４３】
積層コンデンサ１では、第１及び第２の端子電極２、３が、直方体形状のコンデンサ素体４の長手方向に伸びる第１及び第２の側面４ｃ、４ｄ上に形成されている。したがって、第１及び第２の内部電極１０、２０を流れる電流経路を短くすることができ、積層コンデンサ１の等価直列インダクタンスを低くすることができる。
【００４４】
また、第１の内部電極１０では、コンデンサ素体４の第１及び第２の端面４ｅ、４ｆの対向方向における第１の引き出し電極部１４の幅いっぱいに、静電容量の形成に寄与する第１、第２、及び第５の主電極部１１〜１３が配置されている。そのため、第１の内部電極１０を流れる電流経路をさらに短くすることができる。
【００４５】
また、第２の内部電極２０では、コンデンサ素体４の第１及び第２の端面４ｅ、４ｆの対向方向における第２の引き出し電極部２４の幅いっぱいに、静電容量の形成に寄与する第３、第４、及び第６の主電極部２１〜２３が配置されている。そのため、第２の内部電極２０を流れる電流経路をさらに短くすることができる。
【００４６】
積層コンデンサ１では、第１及び第２の内部電極１０、２０において静電容量の形成に寄与する部分と引き出し電極部との関係を上述のように工夫し内部電極を流れる電流の経路を短くすることで、等価直列インダクタンスをより一層低くすることが可能となっている。
【００４７】
また、積層コンデンサ１では、第１及び第２の内部電極１０、２０と第１の中間電極３１とで形成される複数の直列接続される静電容量成分Ｃ１１、Ｃ１２と、第１及び第２の内部電極１０、２０と第２の中間電極３２とで形成される複数の直列接続される静電容量成分Ｃ２１、Ｃ２２と、第１及び第２の内部電極１０、２０と第３の中間電極３３とで形成される複数の直列接続される静電容量成分Ｃ３１、Ｃ３２とで、その合成静電容量が異なる。図４に示されるように、これらの異なる合成静電容量同士は並列接続の関係にあるため、積層コンデンサ１によれば、広い周波数帯域でインピーダンスを低くすることが可能となる。
【００４８】
また、積層コンデンサ１は、第１〜第３の中間電極３１〜３３を有し、これらの中間電極とともに第１及び第２の内部電極１０、２０は静電容量を形成する。したがって、中間電極３１〜３３の面積を様々に変えることで、積層コンデンサ１内に並列接続される合成静電容量を様々に変えることができる。例えば、第１の中間電極３１の面積と第２の中間電極３２の面積との差をさらに大きくすることによって、並列接続される合成静電容量の差異を大きくすることができ、より一層広帯域でインピーダンスを低くすることができる。
【００４９】
（第２実施形態）
図５及び図６に基づいて、第２実施形態に係る積層コンデンサの構成について説明する。第２実施形態に係る積層コンデンサは、中間電極の数の点で、第１実施形態に係る積層コンデンサと相違する。図５は、本実施形態に係る積層コンデンサに含まれるコンデンサ素体の分解斜視図である。図６は、本実施形態に係る積層コンデンサの等価回路図である。
【００５０】
第２実施形態に係る積層コンデンサは、その図示を省略するが、第１実施形態に係る積層コンデンサ１と同じく、コンデンサ素体４と、第１の端子電極２と、第２の端子電極３とを備える。コンデンサ素体４は、図５に示されるように、積層された複数（本実施形態では、５層）の誘電体層５を有する。
【００５１】
図５に示されているように、コンデンサ素体４には、複数（本実施形態では２層）の第１の内部電極１０と、複数（本実施形態では２層）の第２の内部電極２０と、複数（本実施形態では２層）の第１の中間電極３１と、複数（本実施形態では１０）の第２の中間電極３２Ａ〜３２Ｅと、複数（本実施形態では６）の第３の中間電極３３Ａ〜３３Ｃとが配置されている。
【００５２】
コンデンサ素体４では、第１及び第２の内部電極１０、２０、第２の中間電極３２Ｂ、３２Ｄ、並びに第３の中間電極３３Ｂは、コンデンサ素体４の第１及び第２の主面４ａ、４ｂの対向方向で同層に配置されている。コンデンサ素体４では、一組の第１〜第３の中間電極３１、３２Ａ、３２Ｃ、３２Ｅ、３３Ａ、３３Ｃは、コンデンサ素体４の第１及び第２の主面４ａ、４ｂの対向方向で同層に配置されている。同層に配置された第１及び第２の内部電極１０、２０、第２の中間電極３２Ｂ、３２Ｄ、並びに第３の中間電極３３Ｂと、同層に配置された第１〜第３の中間電極３１、３２Ａ、３２Ｃ、３２Ｅ、３３Ａ、３３Ｃとは、第１及び第２の主面４ａ、４ｂの対向方向に沿って交互に配置されている。
【００５３】
各第１の内部電極１０は、第１及び第２の端面４ｅ、４ｆの対向方向に沿って連続して併置された第１の主電極部１１、第５の主電極部１３、及び第２の主電極部１２と、当該第１、第２、及び第５の主電極部１１、１２、１３から第１の側面４ｃに伸びる第１の引き出し電極部１４とを含む。第１の主電極部１１、第５の主電極部１３、及び第２の主電極部１２は、第１の端面４ｅ側から第２の端面４ｆ側に向かってこの順で位置している。
【００５４】
第１の主電極部１１は、第２及び第５の主電極部１２、１３の何れよりも面積が大きく、第２及び第５の主電極部１２、１３よりも第２の側面に向かって突出するように形成されている。第５の主電極部１３は、第１の主電極部１１よりも面積が小さく、且つ第２の主電極部１２よりも面積が大きい。第５の主電極部１３は、第２の主電極部１２よりも第２の側面に向かって突出するように形成されている。第２の主電極部１２は、第１及び第５の主電極部１１、１３の何れよりも面積が小さい。すなわち、第１、第２及び第５の主電極部１１〜１３は、階段状に形成されている。
【００５５】
第１の引き出し電極部１４は、その端部が第１の側面４ｃに露出して、第１の端子電極２に接続されている。第１の主電極部１１の第１の端面４ｅ側の端部１１ａと第１の引き出し電極部１４の第１の端面４ｅ側の端部１４ａとは、同一直線を形成する。すなわち、第１の主電極部１１の第１の端面４ｅ側の端部１１ａと第１の引き出し電極部１４の第１の端面４ｅ側の端部１４ａとは、第１の主電極部１１及び第１の引き出し電極部１４の境界において一致する。
【００５６】
第２の主電極部１２の第２の端面４ｆ側の端部１２ａと第１の引き出し電極部１４の第２の端面４ｆ側の端部１４ｂとは、同一直線を形成する。すなわち、第２の主電極部１２の第２の端面４ｆ側の端部１２ａと第１の引き出し電極部１４の第２の端面４ｆ側の端部１４ｂとは、第２の主電極部１２及び第１の引き出し電極部１４の境界において一致する。
【００５７】
各第２の内部電極２０は、第１及び第２の端面４ｅ、４ｆの対向方向に沿って連続して併置された第３の主電極部２１、第６の主電極部２３、及び第４の主電極部２２と、当該第３、第４、及び第６の主電極部２１、２２、２３から第２の側面４ｄに伸びる第２の引き出し電極部２４とを含む。第３の主電極部２１、第６の主電極部２３、及び第４の主電極部２２は、第１の端面４ｅ側から第２の端面４ｆ側に向かってこの順で位置している。
【００５８】
第３の主電極部２１は、第４及び第６の主電極部２２、２３の何れよりも面積が大きく、第４及び第６の主電極部２２、２３よりも第１の側面４ｃに向かって突出するように形成されている。第６の主電極部２３は、第３の主電極部２１よりも面積が小さく、且つ第４の主電極部２２よりも面積が大きい。第６の主電極部２３は、第４の主電極部２２よりも第１の側面に向かって突出するように形成されている。第４の主電極部２２は、第２及び第６の主電極部２１、２３の何れよりも面積が小さい。すなわち、第３、第４及び第６の主電極部２１〜２３は、階段状に形成されている。
【００５９】
第２の引き出し電極部２４は、その端部が第２の側面４ｄに露出して、第２の端子電極３に接続されている。第３の主電極部２１の第１の端面４ｅ側の端部２１ａと第２の引き出し電極部２４の第１の端面４ｅ側の端部２４ａとは、同一直線を形成する。すなわち、第３の主電極部２１の第１の端面４ｅ側の端部２１ａと第２の引き出し電極部２４の第１の端面４ｅ側の端部２４ａとは、第３の主電極部２１及び第２の引き出し電極部２４の境界において一致する。
【００６０】
第４の主電極部２２の第２の端面４ｆ側の端部２２ａと第２の引き出し電極部２４の第２の端面４ｆ側の端部２４ｂとは、同一直線を形成する。すなわち、第４の主電極部２２の第２の端面４ｆ側の端部２２ａと第２の引き出し電極部２４の第２の端面４ｆ側の端部２４ｂとは、第４の主電極部２２及び第２の引き出し電極部２４の境界において一致する。
【００６１】
第１の中間電極３１は、第２及び第３の中間電極３２Ａ〜３２Ｅ、３３Ａ〜３３Ｃに対して、第１及び第２の端面４ｅ、４ｆの対向方向で第１の端面４ｅ側に位置する。第１の中間電極３１は、第１及び第２の内部電極１０、２０とは第１及び第２の主面４ａ、４ｂの対向方向で異なる位置に配置されている。第１の中間電極３１は、第１の内部電極１０の第１の主電極部１１及び第２の内部電極２０の第３の主電極部２１の双方と、第１及び第２の主面４ａ、４ｂの対向方向で対向する。
【００６２】
第２の中間電極３２Ａ〜３２Ｅは、第１及び第３の中間電極３１、３３Ａ〜３３Ｃに対して、第１及び第２の端面４ｅ、４ｆの対向方向で第２の端面４ｆ側に位置する。第２の中間電極３２Ａ〜３２Ｅうちの３つ３２Ａ、３２Ｃ、３２Ｅは、第１及び第２の主面４ａ、４ｂの対向方向で第１及び第２の内部電極１０、２０と異なる位置に配置されている。第２の中間電極３２Ａ〜３２Ｅうちの残り２つ３２Ｂ、３２Ｄは、第１及び第２の主面４ａ、４ｂの対向方向で第１及び第２の内部電極１０、２０と同層に配置されている。
【００６３】
具体的には、第２の中間電極３２Ａ、３２Ｃ、３２Ｅは、第１及び第２の側面４ｃ、４ｄの対向方向で第１の側面側からこの順に並んでいる。第２の中間電極３２Ｂ、３２Ｄは、第１及び第２の側面４ｃ、４ｄの対向方向で第１の側面側からこの順に並んでいる。そして、第２の中間電極３２Ｂ、３２Ｄは何れも、第１の内部電極１０の第２の主電極部１２と第２の内部電極２０の第４の主電極部２２との間に位置する。
【００６４】
第２の中間電極３２Ａ〜３２Ｅのうち最も第１の側面４ｃ側に位置する第２の中間電極３２Ａは、第２の主電極部１２と第１及び第２の主面４ａ、４ｂの対向方向で対向する領域を有する。一方、第２の中間電極３２Ａ〜３２Ｅのうち最も第２の側面４ｄ側に位置する第２の中間電極３２Ｅは、第４の主電極部２２と第１及び第２の主面４ａ、４ｂの対向方向で対向する領域を有する。また、各第２の中間電極３２Ａ〜３２Ｅは、当該第２の中間電極以外の他の第２の中間電極と第１及び第２の主面４ａ、４ｂの対向方向で対向する領域を有する。
【００６５】
具体的には、第２の中間電極３２Ａは、第１の側面４ｃ側の領域で第１の内部電極１０の第２の主電極部１２と対向し、且つ第２の側面４ｄ側の領域で第２の中間電極３２Ｂと対向する。第２の中間電極３２Ｂは、第１の側面４ｃ側の領域で第２の中間電極３２Ａと対向し、且つ第２の側面４ｄ側の領域で第２の中間電極３２Ｃと対向する。第２の中間電極３２Ｃは、第１の側面４ｃ側の領域で第２の中間電極３２Ｂと対向し、且つ第２の側面４ｄ側の領域で第２の中間電極３２Ｄと対向する。第２の中間電極３２Ｄは、第１の側面４ｃ側の領域で第２の中間電極３２Ｃと対向し、且つ第２の側面４ｄ側の領域で第２の中間電極３２Ｅと対向する。第２の中間電極３２Ｅは、第１の側面４ｃ側の領域で第２の中間電極３２Ｄと対向し、且つ第２の側面４ｄ側の領域で第２の内部電極２０の第４の主電極部２２と対向する。
【００６６】
第３の中間電極３３Ａ〜３３Ｃは、第１及び第２の端面４ｅ、４ｆの対向方向で第１の中間電極３１と第２の中間電極３２Ａ〜３２Ｅとの間に位置する。第３の中間電極３３Ａ〜３３Ｃうちの２つの３３Ａ、３３Ｃは、第１及び第２の主面４ａ、４ｂの対向方向で第１及び第２の内部電極１０、２０と異なる位置に配置されている。第３の中間電極３３Ａ〜３３Ｃうちの残り１つ３３Ｂは、第１及び第２の主面４ａ、４ｂの対向方向で第１及び第２の内部電極１０、２０と同層に配置されている。
【００６７】
具体的には、第３の中間電極３３Ａ、３３Ｃは、第１及び第２の側面４ｃ、４ｄの対向方向で第１の側面側からこの順に並んでいる。第３の中間電極３３Ｂは、第１の内部電極１０の第５の主電極部１３と第２の内部電極２０の第６の主電極部２３との間に位置する。
【００６８】
第３の中間電極３３Ａ〜３３Ｃのうち最も第１の側面４ｃ側に位置する第３の中間電極３３Ａは、第１及び第２の主面４ａ、４ｂの対向方向で第５の主電極部１３に対向する領域を有する。一方、第３の中間電極３３Ａ〜３３Ｃのうち最も第２の側面４ｄ側に位置する第３の中間電極３３Ｃは、第１及び第２の主面４ａ、４ｂの対向方向で第６の主電極部２３と対向する領域を有する。また、各第３の中間電極３３Ａ〜３３Ｃは、当該第３の中間電極以外の他の第３の中間電極と第１及び第２の主面４ａ、４ｂの対向方向で対向する領域を有する。
【００６９】
具体的には、第３の中間電極３３Ａは、第１の側面４ｃ側の領域で第１の内部電極１０の第５の主電極部１３と対向し、且つ第２の側面４ｄ側の領域で第３の中間電極３３Ｂと対向する。第３の中間電極３３Ｂは、第１の側面４ｃ側の領域で第３の中間電極３３Ａと対向し、且つ第２の側面４ｄ側の領域で第３の中間電極３３Ｃと対向する。第３の中間電極３３Ｃは、第１の側面４ｃ側の領域で第３の中間電極３３Ｂと対向し、且つ第２の側面４ｄ側の領域で第２の内部電極２０の第６の主電極部２３と対向する。
【００７０】
図６に第２実施形態に係る積層コンデンサの等価回路図を示す。図６に示されるように、第１の内部電極１０の第１の主電極部１１と第１の中間電極３１とは静電容量成分Ｃ１１を形成する。第１の中間電極３１と第２の内部電極２０の第３の主電極部２１とは静電容量成分Ｃ１２を形成する。このように、第１の中間電極３１は、第１の内部電極１０の第１の主電極部１１及び第２の内部電極２０の第３の主電極部２１とともに直列接続される複数の静電容量成分Ｃ１１、Ｃ１２を形成する。
【００７１】
図６に示されるように、第１の内部電極１０の第２の主電極部１２と第２の中間電極３２Ａとは静電容量成分Ｃ２１を形成する。第２の中間電極３２Ａと第２の中間電極３２Ｂとは静電容量成分Ｃ２２を形成する。第２の中間電極３２Ｂと第２の中間電極３２Ｃとは静電容量成分Ｃ２３を形成する。第２の中間電極３２Ｃと第２の中間電極３２Ｄとは静電容量成分Ｃ２４を形成する。第２の中間電極３２Ｄと第２の中間電極３２Ｅとは静電容量成分Ｃ２５を形成する。第２の中間電極３２Ｅと第２の内部電極２０の第４の主電極部２２とは静電容量成分Ｃ２６を形成する。このように、第２の中間電極３２Ａ〜３２Ｅは、第１の内部電極１０の第２の主電極部１２及び第２の内部電極２０の第４の主電極部２２とともに直列接続される複数の静電容量成分Ｃ２１〜Ｃ２６を形成する。
【００７２】
図６に示されるように、第１の内部電極１０の第５の主電極部１３と第３の中間電極３３Ａとは静電容量成分Ｃ３１を形成する。第３の中間電極３３Ａと第３の中間電極３３Ｂとは静電容量成分Ｃ３２を形成する。第３の中間電極３３Ｂと第３の中間電極３３Ｃとは静電容量成分Ｃ３３を形成する。第３の中間電極３３Ｃと第２の内部電極２０の第６の主電極部２３とは静電容量成分Ｃ３４を形成する。このように、第３の中間電極３３Ａ〜３３Ｃは、第１の内部電極１０の第５の主電極部１３及び第２の内部電極２０の第６の主電極部２３とともに直列接続される複数の静電容量成分Ｃ３１〜Ｃ３４を形成する。
【００７３】
図６から理解されるように、第１及び第２の内部電極１０、２０並びに第１の中間電極３１によって形成される静電容量成分Ｃ１１、Ｃ１２と、第１及び第２の内部電極１０、２０並びに第２の中間電極３２Ａ〜３２Ｅによって形成される静電容量成分Ｃ２１〜Ｃ２６と、第１及び第２の内部電極１０、２０並びに第３の中間電極３３Ａ〜３３Ｃによって形成される静電容量成分Ｃ３１〜Ｃ３４とは、並列に接続される。
【００７４】
また、第１の中間電極３１と第１及び第３の主電極部１１、２１とによって形成される２つの静電容量成分Ｃ１１、Ｃ１２の合成静電容量と、第２の中間電極３２Ａ〜３２Ｅと第２及び第４の主電極部１２、２２とによって形成される６つの静電容量成分Ｃ２１〜Ｃ２６の合成静電容量と、第３の中間電極３３Ａ〜３３Ｃと第５及び第６の主電極部１３、２３とによって形成される４つの静電容量成分Ｃ３１〜Ｃ３４の合成静電容量とは異なる値を有しつつ、並列に接続されている。
【００７５】
第２実施形態に係る積層コンデンサでは、第１及び第２の端子電極２、３が、直方体形状のコンデンサ素体４の長手方向に伸びる第１及び第２の側面４ｃ、４ｄ上に形成されている。したがって、第１及び第２の内部電極１０、２０を流れる電流経路を短くすることができ、第２実施形態に係る積層コンデンサの等価直列インダクタンスを低くすることができる。
【００７６】
また、第１の内部電極１０では、コンデンサ素体４の第１及び第２の端面４ｅ、４ｆの対向方向における第１の引き出し電極部１４の幅いっぱいに、静電容量の形成に寄与する第１、第２、及び第５の主電極部１１〜１３が配置されている。そのため、第１の内部電極１０を流れる電流経路をさらに短くすることができる。
【００７７】
また、第２の内部電極２０では、コンデンサ素体４の第１及び第２の端面４ｅ、４ｆの対向方向における第２の引き出し電極部２４の幅いっぱいに、静電容量の形成に寄与する第３、第４、及び第６の主電極部２１〜２３が配置されている。そのため、第２の内部電極２０を流れる電流経路をさらに短くすることができる。
【００７８】
第２実施形態に係る積層コンデンサでは、第１及び第２の内部電極１０、２０において静電容量の形成に寄与する部分と引き出し電極部との関係を上述のように工夫し内部電極を流れる電流の経路を短くすることで、等価直列インダクタンスをより一層低くすることが可能となっている。
【００７９】
また、第２実施形態に係る積層コンデンサでは、第１及び第２の内部電極１０、２０と第１の中間電極３１とで形成される複数の直列接続される静電容量成分Ｃ１１、Ｃ１２と、第１及び第２の内部電極１０、２０と第２の中間電極３２Ａ〜３２Ｅとで形成される複数の直列接続される静電容量成分Ｃ２１〜Ｃ２６と、第１及び第２の内部電極１０、２０と第３の中間電極３３Ａ〜３３Ｃとで形成される複数の直列接続される静電容量成分Ｃ３１〜Ｃ３４とで、その合成静電容量が異なる。図６に示されるように、これらの異なる合成静電容量同士は並列接続の関係にあるため、第２実施形態に係る積層コンデンサによれば、広い周波数帯域でインピーダンスを低くすることが可能となる。
【００８０】
また、第２実施形態に係る積層コンデンサは、互いにその数が異なる第１〜第３の中間電極３１〜３３を有し、これらの中間電極とともに第１及び第２の内部電極１０、２０は静電容量を形成する。したがって、中間電極３１〜３３の数を様々に変えることで、第２実施形態に係る積層コンデンサ内に並列接続される合成静電容量を様々に変えることができる。例えば、第１の中間電極３１の数と第２の中間電極３２Ａ〜３２Ｅの数の差をさらに大きくし合成静電容量の差をさらに大きくすることによって、並列接続される合成静電容量の差異を大きくすることができ、より一層広帯域でインピーダンスを低くすることができる。すなわち、第１及び第２の内部電極１０、２０の間に配置される中間電極の数によって、第１及び第２の内部電極１０、２０間に発生させる静電容量の値を様々に変化させることが可能である。
【００８１】
（第３実施形態）
図７〜図９に基づいて、第３実施形態に係る積層コンデンサ４１の構成について説明する。図７は、本実施形態に係る積層コンデンサの斜視図である。図８は、本実施形態に係る積層コンデンサに含まれるコンデンサ素体の分解斜視図である。図９は、本実施形態に係る積層コンデンサの等価回路図である。
【００８２】
積層コンデンサ４１は、図７に示すように、直方体状をしたコンデンサ素体４４と、コンデンサ素体４４の外表面に配置された第１の端子電極４２及び第２の端子電極４３とを備える。コンデンサ素体４４は、図７に示されるように、相対向する長方形状の第１の及び第２の主面４４ａ、４４ｂと、第１及び第２の主面４４ａ、４４ｂ間を連結するように第１及び第２の主面４４ａ、４４ｂの長辺方向に伸びている第１及び第２の側面４４ｃ、４４ｄと、第１及び第２の主面４４ａ、４４ｂ間を連結するように第１及び第２の主面４４ａ、４４ｂの短辺方向に伸びている第１及び第２の端面４４ｅ、４４ｆとを有する。
【００８３】
コンデンサ素体４４の第１の側面４４ｃには、第１の端子電極４２が配置されている。コンデンサ素体４４の第２の側面４４ｄには、第２の端子電極４３が配置されている。第１及び第２の端子電極４２、４３は、例えば、導電性金属粉末及びガラスフリットを含む導電性ペーストをコンデンサ素体４４の対応する外表面の付与し、焼き付けることによって形成される。必要に応じて、焼き付けられた電極の上にめっき層が形成されることもある。
【００８４】
コンデンサ素体４４は、図８に示されるように、積層された複数（本実施形態では、５層）の誘電体層４５を有する。各誘電体層４５は、例えば誘電体セラミックを含むセラミックグリーンシートの焼結体から構成される。したがって、コンデンサ素体４４は、誘電特性を有する。なお、実際の積層コンデンサ４１では、誘電体層４５の間の境界が視認できない程度に一体化されている。
【００８５】
図８に示されているように、コンデンサ素体４４には、複数（本実施形態では２層）の第１の内部電極５０と、複数（本実施形態では２層）の第２の内部電極６０と、複数（本実施形態では２層）の第３の内部電極７０と、複数（本実施形態では６つ）の第１の中間電極８１Ａ〜８１Ｃと、複数（本実施形態では２つ）の第２の中間電極８２とが配置されている。各内部電極５０、６０、及び各中間電極８１Ａ〜８１Ｃ、８２は、例えば、導電性ペーストの焼結体から構成される。
【００８６】
コンデンサ素体４４では、一対の第１及び第２の内部電極５０、６０、及び第１の中間電極８１Ｂは、コンデンサ素体４４の第１及び第２の主面４４ａ、４４ｂの対向方向で同層に配置されている。コンデンサ素体４４では、第３の内部電極７０並びに第１及び第２の中間電極８１Ａ、８１Ｃ、８２は、コンデンサ素体４４の第１及び第２の主面４４ａ、４４ｂの対向方向で同層に配置されている。同層に配置された第１及び第２の内部電極５０、６０並びに第１の中間電極８１Ｂと、同層に配置された第３の内部電極７０並びに第１及び第２の中間電極８１Ａ、８１Ｃ、８２とは、第１及び第２の主面４４ａ、４４ｂの対向方向に沿って交互に配置されている。
【００８７】
各第１の内部電極５０は、第１及び第２の端面４４ｅ、４４ｆの対向方向に沿って連続して併置された第１の主電極部５１、第５の主電極部５３、及び第２の主電極部５２と、当該第１、第２、及び第５の主電極部５１、５２、５３から第１の側面４４ｃに伸びる第１の引き出し電極部５４とを含む。第１の主電極部５１、第５の主電極部５３、及び第２の主電極部５２は、第１の端面４４ｅ側から第２の端面４４ｆ側に向かってこの順で位置している。
【００８８】
第１の主電極部５１は、第２及び第５の主電極部５２、５３の何れよりも面積が大きく、第２及び第５の主電極部５２、５３よりも第２の側面４４ｄに向かって突出するように形成されている。第５の主電極部５３は、第１の主電極部５１よりも面積が小さく、且つ第２の主電極部５２よりも面積が大きい。第５の主電極部５３は、第２の主電極部５２よりも第２の側面４４ｄに向かって突出するように形成されている。第２の主電極部５２は、第１及び第５の主電極部５１、５３の何れよりも面積が小さい。すなわち、第１、第２及び第５の主電極部５１〜５３は、階段状に形成されている。
【００８９】
第１の引き出し電極部５４は、その端部が第１の側面４４ｃに露出して、第１の端子電極４２に接続されている。第１の主電極部５１の第１の端面４４ｅ側の端部５１ａと第１の引き出し電極部５４の第１の端面４４ｅ側の端部５４ａとは、同一直線を形成する。すなわち、第１の主電極部５１の第１の端面４４ｅ側の端部５１ａと第１の引き出し電極部５４の第１の端面４４ｅ側の端部５４ａとは、第１の主電極部５１及び第１の引き出し電極部５４の境界において一致する。
【００９０】
第２の主電極部５２の第２の端面４４ｆ側の端部５２ａと第１の引き出し電極部５４の第２の端面４４ｆ側の端部５４ｂとは、同一直線を形成する。すなわち、第２の主電極部５２の第２の端面４４ｆ側の端部５２ａと第１の引き出し電極部５４の第２の端面４４ｆ側の端部５４ｂとは、第２の主電極部５２及び第１の引き出し電極部５４の境界において一致する。
【００９１】
各第２の内部電極６０は、第１及び第２の端面４４ｅ、４４ｆの対向方向に沿って連続して併置された第３の主電極部６１、及び第６の主電極部６２と、当該第３及び第６の主電極部６１、６２から第２の側面４４ｄに伸びる第２の引き出し電極部６３とを含む。第６の主電極部６２、及び第３の主電極部６１は、第１の端面４４ｅ側から第２の端面４４ｆ側に向かってこの順で位置している。第６の主電極部６２は、第３の主電極部６１よりも面積が大きく、第３の主電極部６１よりも第１の側面４４ｃに向かって突出するように形成されている。
【００９２】
第２の引き出し電極部６３は、その端部が第２の側面４４ｄに露出して、第２の端子電極４３に接続されている。第２の引き出し電極部６３の第１及び第２の端面４４ｅ、４４ｆの対向方向での長さは、第１の内部電極５０の第１の引き出し電極部５４の第１及び第２の端面４４ｅ、４４ｆの対向方向での長さと同じである。その際、第３の主電極部６１の第２の端面４４ｆ側の端部６１ａと第２の引き出し電極部６３の第２の端面４４ｆ側の端部６３ａとは、同一直線を形成する。すなわち、第３の主電極部６１の第２の端面４４ｆ側の端部６１ａと第２の引き出し電極部６３の第２の端面４４ｆ側の端部６３ａとは、第３の主電極部６１及び第２の引き出し電極部６３の境界において一致する。
【００９３】
各第３の内部電極７０は、第４の主電極部７１と、当該第４の主電極部７１から第２の側面４４ｄに伸びる第２の引き出し電極部７２とを含む。第２の引き出し電極部７２は、その端部が第２の側面４４ｄに露出して、第２の端子電極４３に接続されている。第２の引き出し電極部７２の第１及び第２の端面４４ｅ、４４ｆの対向方向での長さは、第１の内部電極５０の第１の引き出し電極部５４の第１及び第２の端面４４ｅ、４４ｆの対向方向での長さと同じである。その際、第４の主電極部７１の第１の端面４４ｅ側の端部７１ａと第３の引き出し電極部７２の第１の端面４４ｅ側の端部７２ａとは、同一直線を形成する。すなわち、第４の主電極部７１の第１の端面４４ｅ側の端部７１ａと第３の引き出し電極部７２の第１の端面４４ｅ側の端部７２ａとは、第４の主電極部７１及び第３の引き出し電極部７２の境界において一致する。第３の中間電極７０の第４の主電極部７１は、第１の内部電極５０の第１の主電極部５１と第１及び第２の主面４ａ、４ｂの対向方向で対向する。
【００９４】
第１の中間電極８１Ａ〜８１Ｃは、第３の内部電極７０の第１の主電極部７１及び第２の中間電極８２に対して、第１及び第２の端面４ｅ、４ｆの対向方向で第２の端面４ｆ側に位置する。第１の中間電極８１Ａ〜８１Ｃのうちの２つ８１Ａ、８１Ｃは、第１及び第２の主面４４ａ、４４ｂの対向方向で第１及び第２の内部電極５０、６０と異なる位置に配置されている。第１の中間電極８１Ａ〜８１Ｃうちの残り１つ８１Ｂは、第１及び第２の主面４４ａ、４４ｂの対向方向で第１及び第２の内部電極５０、６０と同層に配置されている。
【００９５】
具体的には、第１の中間電極８１Ａ、８１Ｃは、第１及び第２の側面４４ｃ、４４ｄの対向方向で第１の側面４４ｃ側からこの順に並んでいる。第１の中間電極８１Ｂは、第１の内部電極５０の第２の主電極部５２と第２の内部電極６０の第３の主電極部６１との間に位置する。
【００９６】
第１の中間電極８１Ａ〜８１Ｃのうち最も第１の側面４４ｃ側に位置する第１の中間電極８１Ａは、第１の内部電極５０の第２の主電極部５２と第１及び第２の主面４ａ、４ｂの対向方向で対向する領域を有する。一方、第１の中間電極８１Ａ〜８１Ｃのうち最も第２の側面４４ｄ側に位置する第１の中間電極８１Ｃは、第２の内部電極６０の第３の主電極部６１と第１及び第２の主面４４ａ、４４ｂの対向方向で対向する領域を有する。また、各第１の中間電極８１Ａ〜８１Ｃは、当該第１の中間電極以外の他の第１の中間電極と第１及び第２の主面４４ａ、４４ｂの対向方向で対向する領域を有する。
【００９７】
具体的には、第１の中間電極８１Ａは、第１の側面４４ｃ側の領域で第１の内部電極５０の第２の主電極部５２と対向し、且つ第２の側面４４ｄ側の領域で第１の中間電極８１Ｂと対向する。第１の中間電極８１Ｂは、第１の側面４４ｃ側の領域で第１の中間電極８１Ａと対向し、且つ第２の側面４４ｄ側の領域で第１の中間電極８１Ｃと対向する。第１の中間電極８１Ｃは、第１の側面４４ｃ側の領域で第１の中間電極８１Ｂと対向し、且つ第２の側面４４ｄ側の領域で第２の内部電極６０の第３の主電極部６１と対向する。
【００９８】
第２の中間電極８２は、第１及び第２の端面４４ｅ、４４ｆの対向方向で第３の内部電極７０の第４の主電極部７１と第１の中間電極８１Ａ〜８１Ｃとの間に位置する。第２の中間電極８２は、第１及び第２の内部電極５０、６０とは第１及び第２の主面４ａ、４ｂの対向方向で異なる位置に配置されている。第２の中間電極８２は、第１の内部電極５０の第３の主電極部５３及び第２の内部電極６０の第２の主電極部６２の双方と、第１及び第２の主面４４ａ、４４ｂの対向方向で対向する。
【００９９】
図９に第３実施形態に係る積層コンデンサの等価回路図を示す。図９に示されるように、第１の内部電極５０の第１の主電極部５１と第３の内部電極７０の第４の主電極部７１とは１つの静電容量成分Ｃ１１を形成する。
【０１００】
図９に示されるように、第１の内部電極５０の第２の主電極部５２と第１の中間電極８１Ａとは静電容量成分Ｃ２１を形成する。第１の中間電極８１Ａと第１の中間電極８１Ｂとは静電容量成分Ｃ２２を形成する。第１の中間電極８１Ｂと第１の中間電極８１Ｃとは静電容量成分Ｃ２３を形成する。第１の中間電極８１Ｃと第２の内部電極６０の第３の主電極部６１とは静電容量成分Ｃ２４を形成する。このように、第１の中間電極８１Ａ〜８１Ｃは、第１の内部電極５０の第２の主電極部５２及び第２の内部電極６０の第３の主電極部６１とともに直列接続される複数の静電容量成分Ｃ２１〜Ｃ２４を形成する。
【０１０１】
図９に示されるように、第１の内部電極１０の第５の主電極部５３と第２の中間電極８２とは静電容量成分Ｃ３１を形成する。第２の中間電極８２と第２の内部電極６０の第６の主電極部６２とは静電容量成分Ｃ３２を形成する。このように、第２の中間電極８２は、第１の内部電極５０の第５の主電極部５３及び第２の内部電極６０の第６の主電極部６２とともに直列接続される複数の静電容量成分Ｃ３１、Ｃ３２を形成する。
【０１０２】
図９から理解されるように、第１及び第３の内部電極５０、７０によって形成される静電容量成分Ｃ１１と、第１及び第２の内部電極５０、６０並びに第１の中間電極８１Ａ〜８１Ｃによって形成される静電容量成分Ｃ２１〜Ｃ２４と、第１及び第２の内部電極５０、６０並びに第２の中間電極８２によって形成される静電容量成分Ｃ３１、Ｃ３２とは、並列に接続される。
【０１０３】
また、第１及び第３の主電極部５１、７１によって形成される１つの静電容量成分Ｃ１１と、第１の中間電極８１Ａ〜８１Ｃと第２及び第３の主電極部５２、６１とによって形成される４つの静電容量成分Ｃ２１〜Ｃ２４の合成静電容量と、第２の中間電極８２と第５及び第６の主電極部５３、６２とによって形成される２つの静電容量成分Ｃ３１、Ｃ３２の合成静電容量とは異なる値を有しつつ、並列に接続されている。
【０１０４】
第３実施形態に係る積層コンデンサでは、第１及び第２の端子電極４２、４３が、直方体形状のコンデンサ素体４４の長手方向に伸びる第１及び第２の側面４４ｃ、４４ｄ上に形成されている。したがって、第１〜第３の内部電極５０、６０、７０を流れる電流経路を短くすることができ、第３実施形態に係る積層コンデンサの等価直列インダクタンスを低くすることができる。
【０１０５】
また、第１の内部電極５０では、コンデンサ素体４４の第１及び第２の端面４４ｅ、４４ｆの対向方向における第１の引き出し電極部４４の幅いっぱいに、静電容量の形成に寄与する第１、第２、及び第５の主電極部５１〜５３が配置されている。そのため、第１の内部電極５０を流れる電流経路をさらに短くすることができる。
【０１０６】
このように、積層コンデンサ４１では、第１の内部電極５０において静電容量の形成に寄与する主電極部５１〜５３と引き出し電極部５４との関係を上述のように工夫し内部電極を流れる電流の経路を短くしている。これにより、積層コンデンサ４１の等価直列インダクタンスをより一層低くすることが可能となる。
【０１０７】
また、積層コンデンサ４１では、第２の内部電極６０の第２の引き出し電極部６３の第１及び第２の端面４４ｅ、４４ｆの対向方向における長さが、第１の内部電極５０の第１の引き出し電極部５４の第１及び第２の端面４４ｅ、４４ｆの対向方向における長さと同じである。また、第３の内部電極７０の第３の引き出し電極部７２の第１及び第２の端面４４ｅ、４４ｆの対向方向における長さが、第１の内部電極５０の第１の引き出し電極部５４の第１及び第２の端面４４ｅ、４４ｆの対向方向における長さと同じである。これにより、積層コンデンサ４１では、等価直列インダクタンスをより一層低くすることが可能となっている。
【０１０８】
また、積層コンデンサ４１では、第１及び第３の内部電極５０、７０によって形成される１つの静電容量成分Ｃ１１と、第１及び第２の内部電極５０、６０と第１の中間電極８１Ａ〜８１Ｃとで形成される複数の直列接続される静電容量成分Ｃ２１〜Ｃ２４の合成静電容量と、第１及び第２の内部電極５０、６０と第２の中間電極８２とで形成される複数の直列接続される静電容量成分Ｃ３１、Ｃ３２の合成静電容量とで、その値が異なる。図９に示されるように、これらの異なる静電容量同士は並列接続の関係にあるため、積層コンデンサ４１によれば、広い周波数帯域でインピーダンスを低くすることが可能となる。
【０１０９】
特に、積層コンデンサ４１は、端子電極に直接接続されている内部電極のみによって形成される静電容量Ｃ１１と、中間電極を介して直列の関係で形成される複数の静電容量（例えば、Ｃ２１〜Ｃ２４）とを並列関係で有する。端子電極に直接接続されている内部電極のみによって形成される静電容量と、中間電極を介して直列の関係で形成される複数の静電容量の合成静電容量とでは、値の差異をより一層大きくすることができる。そのため、積層コンデンサ４１では、より一層広い周波数帯域でインピーダンスを低くすることが可能となる。
【０１１０】
また、積層コンデンサ４１は、その数が異なる第１及び第２の中間電極８１Ａ〜８１Ｃ、８２を有し、これらの中間電極とともに第１及び第２の内部電極５０、６０は静電容量を形成する。したがって、中間電極８１Ａ〜８１Ｃ、８２の数を様々に変えることで、積層コンデンサ４１内に並列接続される合成静電容量を様々に変えることができる。
【０１１１】
（第４実施形態）
図１０及び図１１に基づいて、第４実施形態に係る積層コンデンサの構成について説明する。第４実施形態に係る積層コンデンサは、中間電極の数の点で、第３実施形態に係る積層コンデンサと相違する。図１０は、本実施形態に係る積層コンデンサに含まれるコンデンサ素体の分解斜視図である。図１１は、本実施形態に係る積層コンデンサの等価回路図である。
【０１１２】
第４実施形態に係る積層コンデンサは、その図示を省略するが、第３実施形態に係る積層コンデンサ４１と同じく、コンデンサ素体４４と、第１の端子電極４２と、第２の端子電極４３とを備える。コンデンサ素体４４は、図１０に示されるように、積層された複数（本実施形態では、５層）の誘電体層４５を有する。
【０１１３】
図８に示されているように、コンデンサ素体４４には、複数（本実施形態では２層）の第１の内部電極５０と、複数（本実施形態では２層）の第２の内部電極６０と、複数（本実施形態では２層）の第３の内部電極７０と、複数（本実施形態では２つ）の第１の中間電極８１と、複数（本実施形態では２つ）の第２の中間電極８２とが配置されている。
【０１１４】
コンデンサ素体４４では、一対の第１及び第２の内部電極５０、６０は、コンデンサ素体４４の第１及び第２の主面４４ａ、４４ｂの対向方向で同層に配置されている。コンデンサ素体４４では、第３の内部電極７０並びに第１及び第２の中間電極８１、８２は、コンデンサ素体４４の第１及び第２の主面４４ａ、４４ｂの対向方向で同層に配置されている。同層に配置された第１及び第２の内部電極５０、６０と、同層に配置された第３の内部電極７０並びに第１及び第２の中間電極８１、８２とは、第１及び第２の主面４４ａ、４４ｂの対向方向に沿って交互に配置されている。
【０１１５】
各第１の内部電極５０は、第１及び第２の端面４４ｅ、４４ｆの対向方向に沿って連続して併置された第１の主電極部５１、第５の主電極部５３、及び第２の主電極部５２と、当該第１、第２、及び第５の主電極部５１、５２、５３から第１の側面４４ｃに伸びる第１の引き出し電極部５４とを含む。第１の主電極部５１、第５の主電極部５３、及び第２の主電極部５２は、第１の端面４４ｅ側から第２の端面４４ｆ側に向かってこの順で位置している。第１の主電極部５１は、第２及び第５の主電極部５２、５３の何れよりも面積が大きく、第２及び第５の主電極部５２、５３よりも第２の側面４４ｄに向かって突出するように形成されている。
【０１１６】
第２及び第５の主電極部５２、５３の第１及び第２の側面４４ｃ、４４ｄの対向方向での長さは同じである。第２の主電極部５２の第２の側面４４ｄ側の端部と第５の主電極部５３の第２の側面４４ｄ側の端部とは同一直線上に位置する。一方、第２の主電極部５２の第１及び第２の端面４４ｅ、４４ｆの対向方向の長さは、第５の主電極部５３の第１及び第２の端面４４ｅ、４４ｆの対向方向の長さに比べて短い。
【０１１７】
第１の引き出し電極部５４は、その端部が第１の側面４４ｃに露出して、第１の端子電極４２に接続されている。第１の主電極部５１の第１の端面４４ｅ側の端部５１ａと第１の引き出し電極部５４の第１の端面４４ｅ側の端部５４ａとは、同一直線を形成する。すなわち、第１の主電極部５１の第１の端面４４ｅ側の端部５１ａと第１の引き出し電極部５４の第１の端面４４ｅ側の端部５４ａとは、第１の主電極部５１及び第１の引き出し電極部５４の境界において一致する。
【０１１８】
第２の主電極部５２の第２の端面４４ｆ側の端部５２ａと第１の引き出し電極部５４の第２の端面４４ｆ側の端部５４ｂとは、同一直線を形成する。すなわち、第２の主電極部５２の第２の端面４４ｆ側の端部５２ａと第１の引き出し電極部５４の第２の端面４４ｆ側の端部５４ｂとは、第２の主電極部５２及び第１の引き出し電極部５４の境界において一致する。
【０１１９】
各第２の内部電極６０は、第１及び第２の端面４４ｅ、４４ｆの対向方向に沿って連続して併置された第３の主電極部６１、及び第６の主電極部６２と、当該第３、及び第６の主電極部６１、６２から第２の側面４４ｄに伸びる第２の引き出し電極部６３とを含む。第６の主電極部６２及び第３の主電極部６１は、第１の端面４４ｅ側から第２の端面４４ｆ側に向かってこの順で位置している。
【０１２０】
第３及び第６の主電極部６１、６２の第１及び第２の側面４４ｃ、４４ｄの対向方向での長さは同じである。第３の主電極部６１の第１の側面４４ｃ側の端部と第６の主電極部６２の第１の側面４４ｃ側の端部とは同一直線上に位置する。一方、第３の主電極部６１の第１及び第２の端面４４ｅ、４４ｆの対向方向の長さは、第６の主電極部６２の第１及び第２の端面４４ｅ、４４ｆの対向方向の長さに比べて短い。
【０１２１】
第２の引き出し電極部６３は、その端部が第２の側面４４ｄに露出して、第２の端子電極４３に接続されている。第２の引き出し電極部６３の第１及び第２の端面４４ｅ、４４ｆの対向方向での長さは、第１の内部電極５０の第１の引き出し電極部５４の第１及び第２の端面４４ｅ、４４ｆの対向方向での長さと同じである。その際、第３の主電極部６１の第２の端面４４ｆ側の端部６１ａと第２の引き出し電極部６３の第２の端面４４ｆ側の端部６３ａとは、同一直線を形成する。すなわち、第３の主電極部６１の第２の端面４４ｆ側の端部６１ａと第２の引き出し電極部６３の第２の端面４４ｆ側の端部６３ａとは、第３の主電極部６１及び第２の引き出し電極部６３の境界において一致する。
【０１２２】
各第３の内部電極７０は、第４の主電極部７１と、当該第４の主電極部７１から第２の側面４４ｄに伸びる第３の引き出し電極部７２とを含む。第３の引き出し電極部７２は、その端部が第２の側面４４ｄに露出して、第２の端子電極４３に接続されている。第３の引き出し電極部７２の第１及び第２の端面４４ｅ、４４ｆの対向方向での長さは、第１の内部電極５０の第１の引き出し電極部５４の第１及び第２の端面４４ｅ、４４ｆの対向方向での長さと同じである。その際、第４の主電極部７１の第１の端面４４ｅ側の端部７１ａと第３の引き出し電極部７２の第１の端面４４ｅ側の端部７２ａとは、同一直線を形成する。すなわち、第４の主電極部７１の第１の端面４４ｅ側の端部７１ａと第３の引き出し電極部７２の第１の端面４４ｅ側の端部７２ａとは、第４の主電極部７１及び第３の引き出し電極部７２の境界において一致する。第３の中間電極７０の第４の主電極部７１は、第１の内部電極５０の第１の主電極部５１と第１及び第２の主面４４ａ、４４ｂの対向方向で対向する。
【０１２３】
第１の中間電極８１は、第３の内部電極７０の第４の主電極部７１及び第２の中間電極８２に対して、第１及び第２の端面４４ｅ、４４ｆの対向方向で第２の端面４４ｆ側に位置する。第１の中間電極８１は、第１及び第２の主面４４ａ、４４ｂの対向方向で見て、第１の内部電極５０の第２の主電極部５２及び第２の内部電極６０の第３の主電極部６１の双方を跨ぐように配置されている。よって、第１の中間電極８１は、第１の側面４４ｃ側の領域で第１の内部電極５０の第２の主電極部５２と対向し、且つ第２の側面４４ｄ側の領域で第２の内部電極６０の第３の主電極部６１と対向する。
【０１２４】
第２の中間電極８２は、第３の内部電極７０の第４の主電極部７１と第１の中間電極８１の間に位置する。第２の中間電極８２は、第１及び第２の主面４４ａ、４４ｂの対向方向で見て、第１の内部電極５０の第５の主電極部５３及び第２の内部電極６０の第６の主電極部６２の双方を跨ぐように配置されている。よって、第２の中間電極８２は、第１の側面４４ｃ側の領域で第１の内部電極５０の第５の主電極部５３と対向し、且つ第２の側面４４ｄ側の領域で第２の内部電極６０の第６の主電極部６２と対向する。
【０１２５】
また、第１の中間電極８１は、第２の中間電極８２に比べて面積が小さい。
【０１２６】
図１１に第４実施形態に係る積層コンデンサの等価回路図を示す。図１１に示されるように、第１の内部電極５０の第１の主電極部５１と第３の内部電極７０の第４の主電極部７１とは１つの静電容量成分Ｃ１１を形成する。
【０１２７】
図１１に示されるように、第１の内部電極５０の第２の主電極部５２と第１の中間電極８１とは静電容量成分Ｃ２１を形成する。第１の中間電極８１と第２の内部電極６０の第３の主電極部６１とは静電容量成分Ｃ２２を形成する。このように、第１の中間電極８１は、第１の内部電極５０の第２の主電極部５２及び第２の内部電極６０の第３の主電極部６１とともに直列接続される複数の静電容量成分Ｃ２１、Ｃ２２を形成する。
【０１２８】
図１１に示されるように、第１の内部電極５０の第５の主電極部５３と第２の中間電極８２とは静電容量成分Ｃ３１を形成する。第２の中間電極８２と第２の内部電極６０の第６の主電極部６２とは静電容量成分Ｃ３２を形成する。このように、第２の中間電極８２は、第１の内部電極５０の第５の主電極部５３及び第２の内部電極６０の第６の主電極部６２とともに直列接続される複数の静電容量成分Ｃ３１、Ｃ３２を形成する。
【０１２９】
図１１から理解されるように、第１及び第３の内部電極５０、７０によって形成される静電容量成分Ｃ１１と、第１及び第２の内部電極５０、６０並びに第１の中間電極８１によって形成される静電容量成分Ｃ２１、Ｃ２２と、第１及び第２の内部電極５０、６０並びに第２の中間電極８２によって形成される静電容量成分Ｃ３１、Ｃ３２とは、並列に接続される。
【０１３０】
また、第１及び第３の主電極部５１、７１によって形成される１つの静電容量成分Ｃ１１と、第１の中間電極８１と第２及び第３の主電極部５２、６１とによって形成される２つの静電容量成分Ｃ２１、Ｃ２２の合成静電容量と、第２の中間電極８２と第５及び第６の主電極部５３、６２とによって形成される２つの静電容量成分Ｃ３１、Ｃ３２の合成静電容量とは異なる値を有しつつ、並列に接続されている。
【０１３１】
第４実施形態に係る積層コンデンサでは、第１及び第２の端子電極４２、４３が、直方体形状のコンデンサ素体４４の長手方向に伸びる第１及び第２の側面４４ｃ、４４ｄ上に形成されている。したがって、第１〜第３の内部電極５０、６０、７０を流れる電流経路を短くすることができ、第４実施形態に係る積層コンデンサの等価直列インダクタンスを低くすることができる。
【０１３２】
また、第１の内部電極５０では、コンデンサ素体４４の第１及び第２の端面４４ｅ、４４ｆの対向方向における第１の引き出し電極部４４の幅いっぱいに、静電容量の形成に寄与する第１、第２、及び第５の主電極部５１〜５３が配置されている。そのため、第１の内部電極５０を流れる電流経路をさらに短くすることができる。
【０１３３】
このように、積層コンデンサ４１では、第１の内部電極５０において静電容量の形成に寄与する主電極部５１〜５３と引き出し電極部５４との関係を上述のように工夫し内部電極を流れる電流の経路を短くしている。これにより、第４実施形態に係る積層コンデンサの等価直列インダクタンスをより一層低くすることが可能となる。
【０１３４】
また、第４実施形態に係る積層コンデンサでは、第２の内部電極６０の第２の引き出し電極部６３の第１及び第２の端面４４ｅ、４４ｆの対向方向における長さが、第１の内部電極５０の第１の引き出し電極部５４の第１及び第２の端面４４ｅ、４４ｆの対向方向における長さと同じである。また、第３の内部電極７０の第３の引き出し電極部７２の第１及び第２の端面４４ｅ、４４ｆの対向方向における長さが、第１の内部電極５０の第１の引き出し電極部５４の第１及び第２の端面４４ｅ、４４ｆの対向方向における長さと同じである。これにより、第４実施形態に係る積層コンデンサでは、等価直列インダクタンスをより一層低くすることが可能となっている。
【０１３５】
また、第４実施形態に係る積層コンデンサでは、第１及び第３の内部電極５０、７０によって形成される１つの静電容量成分Ｃ１１と、第１及び第２の内部電極５０、６０と第１の中間電極８１とで形成される複数の直列接続される静電容量成分Ｃ２１、Ｃ２２の合成静電容量と、第１及び第２の内部電極５０、６０と第２の中間電極８２とで形成される複数の直列接続される静電容量成分Ｃ３１、Ｃ３２の合成静電容量とで、その値が異なる。図１１に示されるように、これらの異なる静電容量同士は並列接続の関係にあるため、積層コンデンサ４１によれば、広い周波数帯域でインピーダンスを低くすることが可能となる。
【０１３６】
特に、第４実施形態に係る積層コンデンサは、端子電極に直接接続されている内部電極のみによって形成される静電容量Ｃ１１と、中間電極を介して直列の関係で形成される複数の静電容量（例えば、Ｃ２１、Ｃ２２）とを並列関係で有する。端子電極に直接接続されている内部電極のみによって形成される静電容量と、中間電極を介して直列の関係で形成される複数の静電容量の合成静電容量とでは、値の差異をより一層大きくすることができる。そのため、積層コンデンサ４１では、より一層広い周波数帯域でインピーダンスを低くすることが可能となる。
【０１３７】
また、第４実施形態に係る積層コンデンサでは、第１の中間電極８１の面積が第２の中間電極８２の面積に比べて小さい。そのため、第１及び第２の内部電極６１、６２と第１の中間電極８１とによって形成される静電容量と、第１及び第２の内部電極６１、６２と第２の中間電極８２とによって形成される静電容量とで、その値を異ならせることができる。
【０１３８】
また、第４実施形態に係る積層コンデンサは、面積が異なる第１及び第２の中間電極８１、８２を有し、これらの中間電極とともに第１及び第２の内部電極５０、６０は静電容量を形成する。したがって、中間電極８１、８２の面積を様々に変えることで、第４実施形態に係る積層コンデンサ内に並列接続される合成静電容量を様々に変えることができる。
【０１３９】
なお、第３及び第４実施形態に係る積層コンデンサにおいて、第２の内部電極６０の第２の引き出し電極部６３の第１及び第２の端面４４ｅ、４４ｆの対向方向での長さは、第１の内部電極５０の第１の引き出し電極部５４の第１及び第２の端面４４ｅ、４４ｆの対向方向での長さと同じでなくてもよい。したがって、例えば、第２の引き出し電極部６３の第１及び第２の端面４４ｅ、４４ｆの対向方向での長さは、第３及び第６の主電極部６１、６２の第１及び第２の端面４４ｅ、４４ｆの対向方向での長さと同じであってもよい。つまり、第３及び第６の主電極部６１、６２から第２の側面４４ｄに向かってそのまま伸びた形状であってもよい。
【０１４０】
また、第３の内部電極７０の第３の引き出し電極部７２の第１及び第２の端面４４ｅ、４４ｆの対向方向での長さは、第１の内部電極５０の第１の引き出し電極部５４の第１及び第２の端面４４ｅ、４４ｆの対向方向での長さと同じでなくてもよい。したがって、第３の引き出し電極部７２の第１及び第２の端面４４ｅ、４４ｆの対向方向での長さは、第４の主電極部７１の第１及び第２の端面４４ｅ、４４ｆの対向方向での長さと同じであってもよい。つまり、第４の主電極部７１から第２の側面４４ｄに向かってそのまま伸びた形状であってもよい。
【０１４１】
以上、本発明の好適な実施形態について説明してきたが、本発明は必ずしも上述した実施形態に限定されるものではなく、その要旨を逸脱しない範囲で様々な変更が可能である。例えば、誘電体層５、４５、内部電極１０、２０、５０、６０、７０、及び中間電極３１〜３３、３２Ａ〜３２Ｅ、３３Ａ〜３３Ｃ、８１、８２、８１Ａ〜８１Ｃの積層数は、上記実施形態での数に限られない。
【０１４２】
各内部電極１０、２０、５０、６０、７０の主電極部の形状は、上記実施形態での形状に限られない。各内部電極１０、２０、５０、６０、７０の主電極部の数は、上記実施形態での数に限られない。各中間電極３１〜３３、３２Ａ〜３２Ｅ、３３Ａ〜３３Ｃ、８１、８２、８１Ａ〜８１Ｃの形状は、上記実施形態での形状に限られない。
【図面の簡単な説明】
【０１４３】
【図１】第１実施形態に係る積層コンデンサの斜視図である。
【図２】第１実施形態に係る積層コンデンサに含まれるコンデンサ素体の分解斜視図である。
【図３】コンデンサ素体に含まれる内部電極及び中間電極の対向関係を説明するための図である。
【図４】第１実施形態に係る積層コンデンサの等価回路図である。
【図５】第２実施形態に係る積層コンデンサに含まれるコンデンサ素体の分解斜視図である。
【図６】第２実施形態に係る積層コンデンサの等価回路図である。
【図７】第３実施形態に係る積層コンデンサの斜視図である。
【図８】第３実施形態に係る積層コンデンサに含まれるコンデンサ素体の分解斜視図である。
【図９】第３実施形態に係る積層コンデンサの等価回路図である。
【図１０】第４実施形態に係る積層コンデンサに含まれるコンデンサ素体の分解斜視図である。
【図１１】第４実施形態に係る積層コンデンサの等価回路図である。
【符号の説明】
【０１４４】
１、４１…積層コンデンサ、２、４２…第１の端子電極、３、４３…第２の端子電極、４、４４…コンデンサ素体、１０、５０…第１の内部電極、１１、５１…第１の主電極部、１２、５２…第２の主電極部、１３、５３…第５の主電極部、１４、５４…第１の引き出し電極部、２０、６０…第２の内部電極、２１、６１…第３の主電極部、２２…第４の主電極部、２３、６２…第６の主電極部、２４、６３…第２の引き出し電極部、３１、８１、８１Ａ〜８１Ｃ…第１の中間電極、３２、３２Ａ〜３２Ｅ、８２…第２の中間電極、３３、３３Ａ〜３３Ｃ…第３の中間電極。
【図１】
0004501970.tif 000002
【図２】
0004501970.tif 000003
【図３】
0004501970.tif 000004
【図４】
0004501970.tif 000005
【図５】
0004501970.tif 000006
【図６】
0004501970.tif 000007
【図７】
0004501970.tif 000008
【図８】
0004501970.tif 000009
【図９】
0004501970.tif 000010
【図１０】
0004501970.tif 000011
【図１１】
0004501970.tif 000012